(57)【要約】 【課題】長方形状のケーブルの位置決め固定を簡便な作業で実現することのできる光ケーブル用クロージャを提供する。【解決手段】光ケーブル用クロージャ１は、固定端面部４０を備えた内部ユニット４００と、内部ユニット４００を覆うスリーブ５０とを備え、固定端面部４０は、内壁部４１１と、内壁部４１１に対して所定の間隔を空けて対向する外壁部４１２と、内壁部４１１と外壁部４１２の間隔のうち、少なくとも一側部を閉塞する蓋部４２と、を有し、内壁部４１１と外壁部４１２のそれぞれの蓋部４２が備えられた一側部には、ケーブルの位置決めをするガイド溝４１５，４１８が形成されていて、蓋部４２には、閉塞時においてガイド溝４１５，４１８により位置決めされたケーブルに密着し弾性変形する弾性部材６０が取り付けられている。【選択図】図２
2010243716.tif 000002
【特許請求の範囲】
【請求項１】
固定端面部を備えた内部ユニットと、
前記内部ユニットを覆うスリーブと、
を備えた光ケーブル用クロージャであって、
前記固定端面部は、
内壁部と、
前記内壁部に対して所定の間隔を空けて対向する外壁部と、
前記内壁部及び前記外壁部の間隔のうち、少なくとも一側部を閉塞する蓋部と、を有し、
前記内壁部及び前記外壁部のそれぞれの前記蓋部が備えられた一側部には、ケーブルの位置決めをするガイド溝が形成されていて、
前記蓋部には、閉塞時において前記ガイド溝により位置決めされた前記ケーブルに密着し弾性変形する弾性部材が取り付けられていることを特徴とする光ケーブル用クロージャ。
【請求項２】
請求項１記載の光ケーブル用クロージャにおいて、
前記外壁部の内面には、当該外壁部のガイド溝の底面から前記内壁部側に向けて連続するエッジ部が形成されていて、
前記内壁部の内面には、当該内壁部のガイド溝の底面から前記外壁部側に向けて傾斜しながら垂下する傾斜部が形成されていることを特徴とする光ケーブル用クロージャ。
【発明の詳細な説明】
【技術分野】
【０００１】
本発明は、光ケーブル用クロージャに関する。
【背景技術】
【０００２】
従来より、光ケーブルの接続部の収納に光ケーブル用クロージャが用いられている。
光ケーブル用クロージャは、主に、端面板を備えた内部ユニットと、内部ユニットを覆うスリーブとからなり、端面板には、光ケーブルを外部から導入するための導入孔が備えられている。この導入孔に光ケーブルを配置することで、当該光ケーブルがクロージャ内部に引き込まれる。
ところで、クロージャ内は防水性を確保する必要がある。クロージャ内の防水性を確保する方法として、例えば、光ケーブルにシール用部材を取り付け、このシール用部材の外周面と端面板に形成されたケーブル導入孔である切欠溝の内周面とが当接するように光ケーブルを設置することで切欠溝と光ケーブルとの隙間を埋める方法が開示されている。
また、端面板には、弾性材料からならシールブロックが保持されており、このシールブロックに対して長方形状のケーブルを貫通させることで、長方形状のケーブルを位置決め固定している。なお、シールブロックは弾性材料であるので、長方形状のケーブルに密着して、防水性を確保できる（例えば特許文献１参照）。
【先行技術文献】
【特許文献】
【０００３】
【特許文献１】特開２００７−２４０７６０号公報
【発明の概要】
【発明が解決しようとする課題】
【０００４】
ところで、上記なような構成であると、長方形状のケーブルの固定作業の際には、長方形状のケーブルを逐一シールブロックに差し込む必要があり、スムーズな作業の弊害となっていた。
このため、本発明は、長方形状のケーブルの位置決め固定を簡便な作業で実現することのできる光ケーブル用クロージャを提供することを目的とする。
【課題を解決するための手段】
【０００５】
以上の課題を解決するため、請求項１記載の発明に係る光ケーブル用クロージャは、
固定端面部を備えた内部ユニットと、
前記内部ユニットを覆うスリーブと、
を備えた光ケーブル用クロージャであって、
前記固定端面部は、
内壁部と、
前記内壁部に対して所定の間隔を空けて対向する外壁部と、
前記内壁部及び前記外壁部の間隔のうち、少なくとも一側部を閉塞する蓋部と、を有し、
前記内壁部及び前記外壁部のそれぞれの前記蓋部が備えられた一側部には、ケーブルの位置決めをするガイド溝が形成されていて、
前記蓋部には、閉塞時において前記ガイド溝により位置決めされた前記ケーブルに密着し弾性変形する弾性部材が取り付けられていることを特徴としている。
【０００６】
請求項２に記載の発明は、請求項１記載の光ケーブル用クロージャにおいて、
前記外壁部の内面には、当該外壁部のガイド溝の底面から前記内壁部側に向けて連続するエッジ部が形成されていて、
前記内壁部の内面には、当該内壁部のガイド溝の底面から前記外壁部側に向けて傾斜しながら垂下する傾斜部が形成されていることを特徴としている。
【発明の効果】
【０００７】
本発明によれば、長方形状のケーブルの位置決め固定を簡便な作業で実現することのできる光ケーブル用クロージャが提供される。
【図面の簡単な説明】
【０００８】
【図１】本実施形態にかかる光ケーブル用クロージャの概略構成を模式的に示す分解斜視図である。
【図２】図１の光ケーブル用クロージャに備わる固定端面部の概略構成を示す斜視図である。
【図３】図２の固定端面部の部分断面図である。
【図４】図２の固定端面部が傾いた状態を示す部分断面図である。
【図５】図２の固定端面部の変形例を示す部分断面図である。
【発明を実施するための形態】
【０００９】
以下に、本発明を実施するための最良の形態について図面を用いて説明する。なお、この実施の形態によりこの発明が限定されるものではない。
【００１０】
図１は、本実施形態１に係る光ケーブル用クロージャの概略構成を模式的に示す分解斜視図である。
図１に示すように、光ケーブル用クロージャ１は、内部ユニット４００と、内部ユニット４００を覆うスリーブ５０とを備える。
【００１１】
ここで、内部ユニット４００とは、図１に例示するように光ケーブル用クロージャ１からスリーブ５０のみを取り除いた部分を指し、少なくとも固定端面部４１を備えている。また、図１に示すように、この実施の形態においては、内部ユニット４００は、固定端面部４１に加えて、光ケーブル１０（図３参照）から引き出した光ファイバの接続部および光ファイバの余長部を収容する光ファイバトレイ２０と、光ファイバトレイ２０を支持するフレーム３０とを備える。
固定端面部４１は、フレーム３０の両端部に設置され、内部に引き込まれる光ケーブル１０を固定する。また、フレーム３０の両側には光ケーブル１０の外被を固定する把持部３２とテンションメンバを固定するテンションメンバ固定部３３とが備えられている。把持部３２には、光ケーブル１０を支持するケーブル支持部３２１と、ケーブル支持部３２１に光ケーブル１０を固定するためのネジ３２２とが設けられている。なお、テンションメンバ固定部３３に代えてスロット把持具を用いることもできる。
すなわち、フレーム３０には、外側から内側にかけて、固定端面部４１、把持部３２、テンションメンバ固定部３３、光ファイバトレイ２０という順にこれらが配列され、固定されている。
【００１２】
一方、スリーブ５０は、図１に示すように、上板５１と、上板５１に対して折り畳み自在に連続する一対の側板５２と、一対の側板５２のそれぞれの下端から内側に向けて直角に折り曲げられて連続する一対の下板５３とを有する。スリーブ５０が内部ユニット４００を覆う際には、これらの上方を上板５１が覆い、側方を側板５２が覆い、下方を下板５３が覆うことになる。ここで、一対の下板５３には、図示しない係止具が設けられており、内部ユニット４００を覆った後に係止具で係止することで、スリーブ５０が固定されることになる。
また、スリーブ５０には、周方向に沿って形成された一対の起立壁５５ａ，５５ｂが設けられている。一対の起立壁５５ａ，５５ｂのうち、外側の起立壁５５ａは、固定端面部４０における外壁部４１２の外側表面の周縁に配置される。一方、内側の起立壁５５ｂは、固定端面部４１における内壁部４１１内側表面の周縁に配置される。
【００１３】
図２は、固定端面部４０の概略構成を示す斜視図である。固定端面部４０は、例えば樹脂からなり、図２に示すように、本体部４１と、本体部４１に対して回動自在に取り付けられた蓋部４２とを有する。なお、図２では蓋部４２が開放した状態を示している。
【００１４】
本体部４１には、内壁部４１１と、内壁部４１１に対して所定の間隔を空けて対向する外壁部４１２と、内壁部４１１及び外壁部４１２を連結する連結壁部４１３とが設けられている。
【００１５】
内壁部４１１には、丸型の光ケーブル１０を支持するための一対の第一貫通孔４１４が形成されている。また、内壁部４１１の上端部には、複数の断面視長方形状のケーブル１１（例えば、光ファイバと一対のテンションメンバと、さらに支持線とを一括被覆したドロップケーブル）を個別にガイドする複数のガイド溝４１５が形成されている。
【００１６】
外壁部４１２には、丸型の光ケーブル１０を支持するための第二貫通孔４１７が、第一貫通孔４１４と略同位置に形成されている。また、外壁部４１２の上端部には、複数の長方形状のケーブル１１を内壁部４１１のガイド溝４１５とともに個別にガイドする複数のガイド溝４１８が形成されている。ガイド溝４１５，４１８は、長方形状のケーブル１１が嵌り込むサイズに形成されている。
【００１７】
連結壁部４１３の上側一端にある角部には、蓋部４２を回動自在に支持するヒンジ部４２０が設けられている。また連結壁部４１３の上側他端にある角部には、閉塞された蓋部４２を係止する係止部４２１が設けられている。係止部４２１は、凹部であり、その内側面に一対の係合穴４２２が形成されている。また、連結壁部４１３の下部には、図示は省略するものの内壁部４１１、外壁部４１２及び連結壁部４１３からなる空間と、外部とを連通する水抜き孔が形成されている。
【００１８】
蓋部４２は、閉塞時に長方形状のケーブル１１がガイド溝４１５，４１８から離脱することを防止する。蓋部４２の一端部には、ヒンジ部４２０に係合する軸部４２３が設けられている。また、蓋部４２の他端部には、係止部４２１に係止される被係止部４２４が設けられている。被係止部４２４には、一対のリブ４２５と、リブ４２５から側方に向けて延出し、係止部４２１の係合穴４２２に係合する一対の係合軸４２６とが設けられている。
【００１９】
蓋部４２の内面には、例えばスポンジやゴム等からなる略四角柱状の弾性部材６０が取り付けられている。この弾性部材６０は、蓋部４２の閉塞時に、内壁部４１１のガイド溝４１５と、外壁部４１２のガイド溝４１８との間に嵌合するようになっている。そして、この際においては、弾性部材６０は、ガイド溝４１５，４１８により位置決めされた長方形状のケーブル１１に対して、密着し弾性変形する。これにより、長方形状のケーブルとガイド溝４１５，４１８とが密着し、防水性が高められている。
【００２０】
光ケーブル用クロージャ１に長方形状のケーブル１１を収容する際には、まず、蓋部４２を開状態として、ガイド溝４１５，４１８に長方形状のケーブル１１を嵌合する。複数の長方形状のケーブル１１の嵌合が完了したら、蓋部４２を閉塞する。これにより、弾性部材６０がガイド溝４１５，４１８により位置決めされた長方形状のケーブル１１に対して、密着し弾性変形する。また、長方形状のケーブル１１が設置されていないガイド溝４１５，４１８があったとしても、この弾性部材６０により当該ガイド溝４１５，４１８は閉塞されることになる。
すなわち、この実施形態によれば、ガイド溝４１５，４１８に長方形状のケーブル１１を嵌め込んで、蓋部４２を閉状態とするだけで、長方形状のケーブル１１の位置決め固定を行うことが可能となる。したがって、長方形状のケーブル１１の位置決め固定作業をより簡便なものにすることが可能である。
【００２１】
図３では蓋部４２が閉塞された状態を図２の矢印Ｙの方向から見た固定端面部４０の部分断面図であり、丸型光ケーブル１０および長方形状のケーブル１１が配置された状態を示している。
図３に示すようにガイド溝４１５の底面４１５ａは水平に形成されている。また、内壁部４１１には、当該内壁部４１１のガイド溝４１５の底面４１５ａから外壁部４１２側に向けて傾斜しながら垂下する傾斜部４１６が形成されている。ガイド溝４１８の底面４１８ａは水平に形成されている。また、外壁部４１２には、当該外壁部４１２のガイド溝４１８の底面４１８ａから内壁部４１１側に向けて連続するエッジ部４１９が形成されている。具体的には、エッジ部４１９の上面４１９ａは、ガイド溝４１８の底面４１８ａに面一で連続している。そして、エッジ部４１９の側面４１９ｂは、上面４１９ａに対して直角となるように垂下している。
【００２２】
このように、内壁部４１１に傾斜部４１６が形成されていることにより、万が一ガイド溝４１５から雨水が浸入したとしても、雨水を下方に流すことができ、長方形状のケーブル１１を伝って水が光ケーブル用クロージャ１の内部に侵入することを抑制できる。
また、外壁部４１２には、当該外壁部４１２のガイド溝４１８の底面４１８ａから内壁部４１１側に向けて連続するエッジ部４１９が形成されていることで、万が一ガイド溝４１８から雨水が浸入したとしても、エッジ部４１９がそれ以上の侵入を遮ることになる。
【００２３】
さらに、光ケーブル用クロージャ１の設置箇所によっては、光ケーブル用クロージャ１が傾いてしまう場合もある。この場合、図４に示すように、内壁部４１１の方が外壁部４１２よりも低くなる場合もある。ここで内壁部４１１にもエッジ部（図４における点線部Ｔ）が設けられている場合には、そのエッジ部の上面に水が落ちると、水は上面に沿って光ケーブル用クロージャ１の内部に向けて流れることになる。この場合、防水性が阻害されるおそれがあるが、上記したように本実施形態では、内壁部４１１に、傾斜部４１６が設けられているので、傾斜部４１６の表面に水が落ちたとしてもガイド溝４１５に向かわずに下方に流れることになる。したがって、より高い防水性を確保することができる。
【００２４】
なお、本発明は上記実施形態に限らず適宜変更可能である。
例えば、本実施形態では、内壁部４１１及び外壁部４１２の上部にガイド溝４１５，４１８が設けられている場合を例示したが、ガイド溝４１５，４１８は、内壁部４１１及び外壁部４１２の側部に設けることも可能である。この場合、蓋部４２は、その設置箇所に対応する位置を開閉することになる。
【００２５】
また、上記実施形態では、内壁部４１１におけるガイド溝４１５の底面４１５ａと、外壁部４１２におけるガイド溝４１８の底面４１８ａとが面一である場合を例示したが、図５に示すように、内壁部４１１のガイド溝４１５の底面４１５ｂが、外壁部４１２のガイド溝４１８の底面４１８ｂよりも高位となる位置に形成されていることが好ましい。これによって、光ケーブル用クロージャ１の内部に対する防水性をより高めることができる。
【符号の説明】
【００２６】
１      光ケーブル用クロージャ
１０      光ケーブル
１１      長方形状のケーブル
２０      光ファイバトレイ
３０      フレーム
３１      フレーム本体
３２      把持部
３３      テンションメンバ固定部
４０      固定端面部
４１      本体部
４２      蓋部
５０      スリーブ
５１      上板
５２      側板
５３      下板
５５ａ，５５ｂ    起立壁
６０      弾性部材
３２１      ケーブル支持部
３２２      ネジ
４００      内部ユニット
４１１      内壁部
４１２      外壁部
４１３      連結壁部
４１４      第一貫通孔
４１５      ガイド溝
４１５ａ    底面
４１６      曲面部
４１７      第二貫通孔
４１８      ガイド溝
４１８ａ    底面
４１９      エッジ部
４２０      ヒンジ部
４２１      係止部
４２４      被係止部
【図１】
2010243716.tif 000003
【図２】
2010243716.tif 000004
【図３】
2010243716.tif 000005
【図４】
2010243716.tif 000006
【図５】
2010243716.tif 000007